(57)【要約】【課題】イーサネット（登録商標）受動光加入者ネットワーク（ＥＰＯＮ）システムの提供。【解決手段】ＯＬＴと、ＯＬＴと連結された多数のＯＮＵとを含み、ＯＬＴが制御するＯＮＵ側オブジェクト間のＰ２Ｐ伝送を具現するＥＰＯＮシステムであって、Ｐ２Ｐ伝送のためのＰＯＮタギングイーサネット（登録商標）フレームはＤＡフィールドと、ＳＡフィールドと、エミュレーションモードを示すモードフィールドと、ＯＮＵ側オブジェクトの識別子を示すＰＨＹ＿ＩＤフィールドと、データフィールドと、を含むＰＯＮタギングイーサネット（登録商標）フレームを使用する。【選択図】　図６
2004032780.tif 000002
【特許請求の範囲】
【請求項１】
ＯＬＴと、該ＯＬＴと接続された多数のＯＮＵとを含み、前記ＯＬＴが制御する複数のＯＮＵ側オブジェクト間のＰ２Ｐ伝送を提供するためのイーサネット（登録商標）受動光加入者ネットワークシステムであって、
ＤＡフィールドと、ＳＡフィールドと、エミュレーションモードを示すモードフィールドと、ＯＮＵ側オブジェクトの識別子を示すＰＨＹ＿ＩＤフィールドと、データフィールドと、を含むＰＯＮタギングイーサネット（登録商標）フレームを備えることを特徴とするイーサネット（登録商標）受動光加入者ネットワークシステム。
【請求項２】
前記ＯＬＴは、
受信したＰＯＮタギングイーサネット（登録商標）フレームを該当ＰＨＹ＿ＩＤにマッピングされている論理ポートを通じて上位レイヤに伝達するマルチプレクシングレイヤと；
前記論理ポートを通じて受信したフレームのエミュレーションモードがＰ２Ｐモードの場合、ＤＡフィールドを参照してＰＨＹ＿ＩＤフィールドの情報を目的地ＯＮＵ側オブジェクトに該当するＰＨＹ＿ＩＤに変換し、該変換ＰＨＹ＿ＩＤにマッピングされている論理ポートを通じて前記受信フレームを該当ＯＮＵ側に伝送するブリッジング機能レイヤと；を含む請求項１記載のイーサネット（登録商標）受動光加入者ネットワークシステム。
【請求項３】
前記ブリッジング機能レイヤは、エミュレーションモードがＳＣＢモードである場合、ＰＨＹ＿ＩＤフィールドの情報を保持したまま該当ＰＨＹ＿ＩＤにマッピングされている論理ポートを通じてＯＮＵ側に伝送する請求項２記載のイーサネット（登録商標）受動光加入者ネットワークシステム。
【請求項４】
前記ＰＯＮタギングイーサネット（登録商標）フレームは、フレームの長さ又はタイプを示す長さ／タイプフィールドをさらに含み、前記ＰＨＹ＿ＩＤフィールド及びモードフィールドは前記長さ／タイプフィールドと前記データフィールドとの間に介在される請求項１記載のイーサネット（登録商標）受動光加入者ネットワークシステム。
【請求項５】
前記各ＯＮＵはフィルタリング機能レイヤを含み、
該フィルタリング機能レイヤは、前記ＯＬＴからＰＯＮタギングイーサネット（登録商標）フレームを受信した場合にモードフィールドを検査し、該検査したモードがＰ２Ｐモードであり、ＰＨＹ＿ＩＤが自己に割り当てられたＰＨＹ＿ＩＤと一致すると前記フレームを受信し、ＰＨＹ＿ＩＤが自己に割り当てられたＰＨＹ＿ＩＤと一致しなければ前記フレームを廃棄するように構成される請求項１記載のイーサネット（登録商標）受動光加入者ネットワークシステム。
【請求項６】
前記フィルタリング機能レイヤは、検査したモードがＳＣＢモードであり、ＰＨＹ＿ＩＤが自己に割り当てられたＰＨＹ＿ＩＤと一致すると前記フレームを廃棄し、ＰＨＹ＿ＩＤが自己に割り当てられたＰＨＹ＿ＩＤと一致しなければ前記フレームを受信する請求項５記載のイーサネット（登録商標）受動光加入者ネットワークシステム。
【請求項７】
前記モードフィールドは１ビットの長さを持ち、前記ＰＨＹ＿ＩＤフィールドは１５ビットの長さを持つ請求項１記載のイーサネット（登録商標）受動光加入者ネットワークシステム。
【請求項８】
ＯＬＴと、該ＯＬＴと接続された多数のＯＮＵとを含み、ＯＮＵ別に区分されるＭＰＣＰ動作を実行するためのイーサネット（登録商標）受動光加入者ネットワークシステムであって、
ＤＡフィールドと、ＳＡフィールドと、長さ／タイプフィールドと、ＯＰコードフィールドと、エミュレーションモードを示すモードフィールドと、ＯＮＵの識別子を示すＰＨＹ＿ＩＤフィールドと、タイムスタンプフィールドと、を含むＭＰＣＰ用ＰＯＮタギングイーサネット（登録商標）ＭＡＣコントロールフレームを備えることを特徴とするイーサネット（登録商標）受動光加入者ネットワークシステム。
【請求項９】
前記ＯＬＴは、
受信したＰＯＮタギングイーサネット（登録商標）ＭＡＣコントロールフレームの長さ／タイプフィールドがＭＰＣＰタイプを示す場合、前記ＰＨＹ＿ＩＤフィールド及びタイムスタンプフィールドを用いて該当ＯＮＵに対するＭＰＣＰ動作を実行するためのフレームを出力するＭＡＣコントロールレイヤと；
該ＭＡＣコントロールレイヤから受信したフレームを該当ＰＨＹ＿ＩＤにマッピングされている論理ポートを通じて上位レイヤに伝達するマルチプレクシングレイヤと；
前記論理ポートを通じて受信したフレームのＤＡフィールドを参照してＰＨＹ＿ＩＤフィールドの情報を目的地ＯＮＵに該当するＰＨＹ＿ＩＤに変換し、該変換ＰＨＹ＿ＩＤにマッピングされている論理ポートを通じて前記受信フレームを該当ＯＮＵ側に伝送するブリッジング機能レイヤと；を含む請求項８記載のイーサネット（登録商標）受動光加入者ネットワークシステム。
【請求項１０】
前記モードフィールドは１ビットの長さを持ち、前記ＰＨＹ＿ＩＤフィールドは１５ビットの長さを持つ請求項８記載のイーサネット（登録商標）受動光加入者ネットワークシステム。
【請求項１１】
ＯＬＴと、該ＯＬＴと接続された多数のＯＮＵとを含み、ＯＮＵ別にイーサネット（登録商標）ＰＯＮ休止機能を実行するためのイーサネット（登録商標）受動光加入者ネットワークシステムであって、
ＤＡフィールドと、ＳＡフィールドと、長さ／タイプフィールドと、ＯＰコードフィールドと、エミュレーションモードを示すモードフィールドと、各ＯＮＵの識別子を示すＰＨＹ＿ＩＤフィールドと、休止時間フィールドと、を含むイーサネット（登録商標）ＰＯＮ休止用ＰＯＮタギングイーサネット（登録商標）ＭＡＣコントロールフレームを備えることを特徴とするイーサネット（登録商標）受動光加入者ネットワークシステム。
【請求項１２】
前記ＯＬＴは、
受信したＰＯＮタギングイーサネット（登録商標）ＭＡＣコントロールフレームのＯＰコードを検査してイーサネット（登録商標）ＰＯＮ休止状態であることを確認した場合、前記フレームを該当ＰＨＹ＿ＩＤにマッピングされている論理ポートを通じて上位レイヤに伝達するマルチプレクシングレイヤと；
休止時間の間、前記フレームを受信した論理ポートに対して伝送を中止することでイーサネット（登録商標）ＰＯＮ休止を実行するブリッジング機能レイヤと；を含む請求項１１記載のイーサネット（登録商標）受動光加入者ネットワークシステム。
【請求項１３】
前記モードフィールドは１ビットの長さを持ち、前記ＰＨＹ＿ＩＤフィールドは１５ビットの長さを持つ請求項１１記載のイーサネット（登録商標）受動光加入者ネットワークシステム。
【発明の詳細な説明】
【０００１】
【発明の属する技術分野】
本発明は、受動光加入者ネットワーク（Ｐａｓｓｉｖｅ　Ｏｐｔｉｃａｌ　Ｎｅｔｗｏｒｋ：ＰＯＮ）に関し、特に、イーサネット（登録商標）ＰＯＮ（Ｅｔｈｅｒｎｅｔ（登録商標）　ＰＯＮ：ＥＰＯＮ）に関する。
【０００２】
【従来の技術】
ＰＯＮは、一つのＯＬＴ（Ｏｐｔｉｃａｌ　Ｌｉｎｅ　Ｔｅｒｍｉｎａｔｉｏｎ）に多数のＯＮＵ（ＯｐｔｉｃａｌＮｅｔｗｏｒｋ　Ｕｎｉｔ）をＯＤＮ（Ｏｐｔｉｃａｌ　Ｄｉｓｔｒｉｂｕｔｉｏｎ　Ｎｅｔｗｏｒｋ）を用いて接続することによって、ツリー構造の分散トポロジーを形成する加入者ネットワークである。
【０００３】
一般に、周知のＰＯＮシステムはＡＴＭ（Ａｓｙｎｃｈｒｏｎｏｕｓ　Ｔｒａｎｓｆｅｒ　Ｍｏｄｅ）−ＰＯＮの形態を有する。また、点対点方式のギガビットイーサネット（登録商標）とＡＴＭ−ＰＯＮ用ＭＡＣ技術は既に標準化が完了した状態であり、その内容は、ＩＥＥＥ　８０２．３ｚ及びＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔ）　Ｇ．９８３．１に記述されている。また、Ｇｉｇａｄ　Ｇｈａｉｂ等により発明され１９９２年１１月２日付に特許公報が発行された米国特許第５，９７８，３７４号“ＰＲＯＴＯＣＯＬ　ＦＯＲ　ＤＡＴＡ　ＣＯＭＭＵＮＩＣＡＩＴＯＮ　ＯＶＥＲ　Ａ　ＰＯＩＮＴ−ＴＯ−ＭＵＬＴＩＰＯＩＮＴ　ＰＡＳＳＩＶＥ　ＯＰＴＩＣＡＬ　ＮＥＴＷＯＲＫ”では、ＡＴＭ−ＰＯＮでのＭＡＣ技術が詳細に開示されている。
【０００４】
図１は、ＩＥＥＥ　８０２．３イーサネット（登録商標）とＩＥＥＥ　８０２．１Ｄブリッジとの関係を示す図である。
【０００５】
一つの物理的な伝送媒体が多数の通信局を共有できるようにするイーサネット（登録商標）媒体である共有媒体（ｓｈａｒｅｄ　ｍｅｄｉａ）を前提としてＩＥＥＥ　８０２．１Ｄが開発されたことから、図１においてブリッジ（ｂｒｉｄｇｅ）に接続されたある一地域に属する加入者端末から送信されたイーサネット（登録商標）フレーム（Ｅｔｈｅｒｎｅｔ（登録商標）　ｆｒａｍｅ）は、ブリッジに接続された他の地域の全ての加入者端末に送信される。したがって、共有媒体の各特性によってブリッジは全てのイーサネット（登録商標）フレームを受信し、各ポートでブリッジが受信するフレームの目的地アドレス（Ｄｅｓｔｉｎａｔｉｏｎ　Ａｄｄｒｅｓｓ）と発信地アドレス（Ｓｏｕｒｃｅ　Ａｄｄｒｅｓｓ）をアドレステーブルに貯蔵する。その結果、ブリッジは、各ポート別に割り当てられたアドレスを学習（ｌｅａｒｎ）する。全ポートの学習終了後、ブリッジがフレームを受信すると、目的地アドレスが割り当てられたポートにのみフレームを送信し、その他のポートにはフレームを送信しないことによって共有媒体の短所であるデータ衝突現象を低減させることができる。
【０００６】
一方、ブリッジは次の三つの条件下でフレームを受信するように構成される。
【０００７】
第一の条件は、受信フレームの目的地アドレスを複数のアドレスが貯蔵されたアドレステーブルから探せない場合である。これはアドレステーブルに発信地アドレスが存在しないか、これまでこの発信地アドレスを使用したフレームを受信していない場合、すなわち学習していないアドレスを受信した場合である。この場合、ブリッジはどのポートにフレームを送信すべきか決定できないので、フレームを受信したポート以外の全ポートにそのフレームを伝送する。
【０００８】
第二の条件は、アドレステーブルに目的地アドレスはあるが、この目的地アドレスに割り当てられたポートがフレームを受信したポートと同じ場合である。このような第二の条件では受信フレームが廃棄される。図１で、Ａ地域の加入者端末‘ａ’が同地域の加入者端末‘ｂ’にイーサネット（登録商標）フレームを伝送する場合、共有媒体の特性によってブリッジにもイーサネット（登録商標）フレームが伝送される。しかし、ブリッジは、イーサネット（登録商標）フレームの目的地アドレスが割り当てられたポートとイーサネット（登録商標）フレームを受信したポートとが同一であるため、そのイーサネット（登録商標）フレームを伝送せずに廃棄する。この場合、フレームは既に目的地アドレスに伝送されたことを意味するので、不必要なトラフィック量を減少させることができる。
【０００９】
第三の条件は、目的地アドレスがアドレステーブルに存在するが、その目的地アドレスが、フレームを受信するポートに割り当てられたものでない場合である。この場合、ブリッジは目的地アドレスをポートに割り当ててフレームを伝送する。
【００１０】
図２は、従来のＰＯＮシステムの構成を示す図である。ＰＯＮシステムは、ＯＬＴ１１０と、多数のＯＮＵ１３２、１３４、１３６と、ＯＤＮ１２０とから構成される。
【００１１】
ＯＬＴ１１０は、ツリー構造のルートに位置し、ネットワークにアクセスする各加入者に情報を提供する上で中心的な役割を果たす。
【００１２】
ＯＤＮ１２０は、ＯＬＴ１１０から伝送される下りデータフレームをＯＮＵ１３２、１３４、１３６に分配し、逆に、ＯＮＵ１３２、１３４、１３６からの上りデータフレームをマルチプレクシング（ｍｕｌｔｉｐｌｅｘｉｎｇ）してＯＬＴ１１０に伝送する。ＯＮＵ１３２、１３４、１３６は下りフレームを受信して使用者端末１４２、１４４、１４６に提供し、使用者端末１４２、１４４、１４６から提供された上りフレームをＯＤＮ１２０を通じてＯＬＴ１１０に伝送する。使用者端末１４２、１４４、１４６とは、ＰＯＮで使用され得る各種の加入者ネットワークの終端装置を意味する。
【００１３】
図２において、第１使用者端末１４２から第２使用者端末１４４に送信されたイーサネット（登録商標）フレームは、共有媒体とは異なり、ＯＬＴ１１０にのみ伝送され、第２使用者端末１４４には伝送されない。加えて、ＯＬＴ１１０に接続されるブリッジは、イーサネット（登録商標）フレームを第２使用者端末１４４に下り送信しないため、イーサネット（登録商標）フレームの損失（ｌｏｓｓ）が発生してしまう。つまり、根本的な条件により、前述したように従来のブリッジネットワークに用いられるＰＯＮシステムはフレーム損失を招く。
【００１４】
したがって、従来の点対多点構造を基本とするＰＯＮシステムにおいてＰ２Ｐ（Ｐｅｅｒ−Ｔｏ−Ｐｅｅｒ）伝送を可能にするためには、ＰＯＮと図１に示した既存のブリッジとの互換のための技術開発が必要である。
【００１５】
【発明が解決しようとする課題】
本発明の目的は、イーサネット（登録商標）ＰＯＮ構造で既存の８０２．１Ｄブリッジとの互換のためにエミュレーション動作を行うエミュレーションレイヤを具現するためのイーサネット（登録商標）フレーム構造と、これを利用したＥＰＯＮシステムと、このシステム内における点対点エミュレーション具現方法を提供することにある。
【００１６】
【課題を解決するための手段】
上記の目的を達成するために、本発明は、ＯＬＴ（Ｏｐｔｉｃａｌ　Ｌｉｎｅ　Ｔｅｒｍｉｎａｔｉｏｎ）と、該ＯＬＴと接続された多数のＯＮＵ（Ｏｐｔｉｃａｌ　Ｎｅｔｗｏｒｋ　Ｕｎｉｔ）とを含み、ＯＬＴが制御する複数のＯＮＵ側オブジェクト間のＰ２Ｐ（Ｐｅｅｒ−Ｔｏ−Ｐｅｅｒ）伝送を提供するためのイーサネット（登録商標）受動光加入者ネットワーク（Ｅｔｈｅｒｎｅｔ（登録商標）　Ｐａｓｓｉｖｅ　Ｏｐｔｉｃａｌ　Ｎｅｔｗｏｒｋ：ＥＰＯＮ）システムであって、ＤＡ（Ｄｅｓｔｉｎａｔｉｏｎ　Ａｄｄｒｅｓｓ）フィールドと、ＳＡ（Ｓｏｕｒｃｅ　Ａｄｄｒｅｓｓ）フィールドと、エミュレーションモードを示すモードフィールドと、ＯＮＵ側オブジェクトの識別子（ＩＤ）を示すＰＨＹ＿ＩＤフィールドと、データフィールドと、を含むＰ２Ｐ伝送のためのＰＯＮ（Ｐａｓｓｉｖｅ　Ｏｐｔｉｃａｌ　Ｎｅｔｗｏｒｋ）タギングイーサネット（登録商標）フレームを備えることを特徴とするイーサネット（登録商標）受動光加入者ネットワークシステムを提供する。
【００１７】
このネットワークシステムにおけるＯＬＴは、受信したＰＯＮタギングイーサネット（登録商標）フレームを該当ＰＨＹ＿ＩＤフィールドにマッピングされている論理ポートを通じて上位レイヤに伝達するマルチプレクシングレイヤと、論理ポートを通じて受信したフレームのエミュレーションモードがＰ２Ｐモードの場合、ＤＡフィールドを参照してＰＨＹ＿ＩＤフィールドの情報を目的地ＯＮＵ側オブジェクトに該当するＰＨＹ＿ＩＤに変換し、該変換ＰＨＹ＿ＩＤにマッピングされている論理ポートを通じて受信フレームを該当ＯＮＵ側に伝送するブリッジング機能レイヤと、を含むようにすると好ましい。
【００１８】
そのブリッジング機能レイヤは、エミュレーションモードがＳＣＢ（Ｓｉｎｇｌｅ　Ｃｏｐｙ　Ｂｒｏａｄｃａｓｔｉｎｇ）モードである場合、ＰＨＹ＿ＩＤフィールドを保持したまま該当ＰＨＹ＿ＩＤフィールドにマッピングされている論理ポートを通じてＯＮＵ側に伝送するとよい。
【００１９】
ＰＯＮタギングイーサネット（登録商標）フレームは、フレームの長さ又はタイプを示す長さ／タイプフィールドをさらに含み、ＰＨＹ＿ＩＤフィールド及びモードフィールドは長さ／タイプフィールドとデータフィールドとの間に介在されるとなおよい。
【００２０】
各ＯＮＵはフィルタリング機能レイヤを含み、このフィルタリング機能レイヤは、ＯＬＴからＰＯＮタギングイーサネット（登録商標）フレームを受信した場合にモードフィールドを検査し、この検査したモードがＰ２Ｐモードであり、ＰＨＹ＿ＩＤが自己に割り当てられたＰＨＹ＿ＩＤフィールドの情報と一致するとフレームを受信し、ＰＨＹ＿ＩＤが自己に割り当てられたＰＨＹ＿ＩＤフィールドと一致しなければフレームを廃棄するように構成されると好ましい。
【００２１】
そのフィルタリング機能レイヤは、検査したモードがＳＣＢモードであり、ＰＨＹ＿ＩＤが自己に割り当てられたＰＨＹ＿ＩＤと一致するとフレームを廃棄し、ＰＨＹ＿ＩＤが自己に割り当てられたＰＨＹ＿ＩＤと一致しなければフレームを受信するようにするとなお好ましい。
【００２２】
モードフィールドは１ビットの長さを持ち、ＰＨＹ＿ＩＤフィールドは１５ビットの長さを持つとよい。
【００２３】
また、本発明では、ＯＬＴ（Ｏｐｔｉｃａｌ　Ｌｉｎｅ　Ｔｅｒｍｉｎａｔｉｏｎ）と、このＯＬＴと接続された多数のＯＮＵ（Ｏｐｔｉｃａｌ　Ｎｅｔｗｏｒｋ　Ｕｎｉｔ）とを含み、ＯＮＵ別に区分されるＭＰＣＰ動作を実行するためのイーサネット（登録商標）受動光加入者ネットワーク（Ｅｔｈｅｒｎｅｔ（登録商標）　Ｐａｓｓｉｖｅ　Ｏｐｔｉｃａｌ　Ｎｅｔｗｏｒｋ：ＥＰＯＮ）システムであって、ＤＡ（Ｄｅｓｔｉｎａｔｉｏｎ　Ａｄｄｒｅｓｓ）フィールドと、ＳＡ（Ｓｏｕｒｃｅ　Ａｄｄｒｅｓｓ）フィールドと、長さ／タイプフィールドと、ＯＰコードフィールドと、エミュレーションモードを示すモードフィールドと、ＯＮＵの識別子を示すＰＨＹ＿ＩＤフィールドと、タイムスタンプフィールドと、を含むＭＰＣＰ用ＰＯＮタギングイーサネット（登録商標）ＭＡＣコントロールフレームを備えることを特徴とするイーサネット（登録商標）受動光加入者ネットワークシステムをも提供する。
【００２４】
このネットワークシステムにおけるＯＬＴは、受信したＰＯＮタギングイーサネット（登録商標）ＭＡＣコントロールフレームの長さ／タイプフィールドがＭＰＣＰタイプを示す場合、ＰＨＹ＿ＩＤフィールド及びタイムスタンプフィールドを用いて該当ＯＮＵに対するＭＰＣＰ動作を実行するためのフレームを出力するＭＡＣコントロールレイヤと；このＭＡＣコントロールレイヤから受信したフレームを該当ＰＨＹ＿ＩＤにマッピングされている論理ポートを通じて上位レイヤに伝達するマルチプレクシングレイヤと；論理ポートを通じて受信したフレームのＤＡフィールドを参照してＰＨＹ＿ＩＤフィールドの情報を目的地ＯＮＵに該当するＰＨＹ＿ＩＤに変換し、該変換ＰＨＹ＿ＩＤにマッピングされている論理ポートを通じて受信フレームを該当ＯＮＵ側に伝送するブリッジング機能レイヤと；を含むようにするとよい。
【００２５】
モードフィールドは１ビットの長さを持ち、ＰＨＹ＿ＩＤフィールドは１５ビットの長さを持つと好ましい。
【００２６】
さらに、本発明では、ＯＬＴ（Ｏｐｔｉｃａｌ　Ｌｉｎｅ　Ｔｅｒｍｉｎａｔｉｏｎ）と、このＯＬＴと接続された多数のＯＮＵ（Ｏｐｔｉｃａｌ　Ｎｅｔｗｏｒｋ　Ｕｎｉｔ）とを含み、ＯＮＵ別にイーサネット（登録商標）ＰＯＮ休止機能を実行するためのイーサネット（登録商標）受動光加入者ネットワーク（Ｅｔｈｅｒｎｅｔ（登録商標）　Ｐａｓｓｉｖｅ　Ｏｐｔｉｃａｌ　Ｎｅｔｗｏｒｋ：ＥＰＯＮ）システムであって、ＤＡ（Ｄｅｓｔｉｎａｔｉｏｎ　Ａｄｄｒｅｓｓ）フィールドと、ＳＡ（Ｓｏｕｒｃｅ　Ａｄｄｒｅｓｓ）フィールドと、長さ／タイプフィールドと、ＯＰコードフィールドと、エミュレーションモードを示すモードフィールドと、各ＯＮＵの識別子を示すＰＨＹ＿ＩＤフィールドと、休止時間フィールドと、を含むイーサネット（登録商標）ＰＯＮ休止用ＰＯＮタギングイーサネット（登録商標）ＭＡＣコントロールフレームを備えることを特徴とするイーサネット（登録商標）受動光加入者ネットワークシステムも提供する。
【００２７】
このネットワークシステムにおけるＯＬＴは、受信したＰＯＮタギングイーサネット（登録商標）ＭＡＣコントロールフレームのＯＰコードを検査してイーサネット（登録商標）ＰＯＮ休止状態であることを確認した場合、そのフレームを該当ＰＨＹ＿ＩＤにマッピングされている論理ポートを通じて上位レイヤに伝達するマルチプレクシングレイヤと；休止時間の間、フレームを受信した論理ポートに対して伝送を中止することでイーサネット（登録商標）ＰＯＮ休止を実行するブリッジング機能レイヤと；を含むようにするとよい。
【００２８】
モードフィールドは１ビットの長さを持ち、前記ＰＨＹ＿ＩＤフィールドは１５ビットの長さを持つと好ましい。
【００２９】
【発明の実施の形態】
以下、添付図面を参照しつつ一本発明の実施例を詳細に説明する。図面中、同一の構成要素には可能な限り同一番号および同一符号を共通使用し、周知技術については適宜説明を省略するものとする。
【００３０】
本発明の一実施例に係るイーサネット（登録商標）フレームは、従来のイーサネット（登録商標）フレームを構成するフィールドに、ｖＬｉｎｋタグフィールド（ｖＬｉｎｋ　ｔａｇ　ｆｉｅｌｄ）を新規に追加した構成である。ｖＬｉｎｋタグフィールドは、１ビットのモードフィールドと、１５ビットのＰＨＹ＿ＩＤフィールドとから構成される。モードフィールドは、エミュレーションモード（ｅｍｕｌａｔｉｏｎ　ｍｏｄｅ）のタイプによってＰ２ＰモードとＳＣＢ（Ｓｉｎｇｌｅ　Ｃｏｐｙ　Ｂｒｏａｄｃａｓｔｉｎｇ）モードに分けられる。必要であればそれ以上のモードをさらに定義しても良い。Ｐ２ＰモードはＥＰＯＮ内でＰ２Ｐ伝送をするためのモードであり、ＳＣＢモードはフレームを伝送したＯＮＵを除く他のＯＮＵにそのフレームを伝送するためのモードである。ＰＨＹ＿ＩＤは、各ＯＮＵを示すか、または、各ＯＮＵが接続された使用者ポートを示すように割り当てられる。ＰＨＹ＿ＩＤは、ＯＬＴが制御するＰＯＮシステム内の固有オブジェクトを識別する識別子と言える。以下ではｖＬｉｎｋタグフィールドが挿入されたイーサネット（登録商標）フレームをＰＯＮタギングイーサネット（登録商標）フレーム（ＰＯＮ　ｔａｇｇｉｎｇ　Ｅｔｈｅｒｎｅｔ（登録商標）　ｆｒａｍｅ）と言う。
【００３１】
図３は、本発明の好ましい一実施例に係るＰＯＮタギングイーサネット（登録商標）フレームの構造を示す図である。このフレームは、目的地アドレス（Ｄｅｓｔｉｎａｔｉｏｎ　Ａｄｄｒｅｓｓ：ＤＡ）フィールド２１０と、発信地アドレス（Ｓｏｕｒｃｅ　Ａｄｄｒｅｓｓ：ＳＡ）フィールド２２０と、長さ／タイプフィールド（ｌｅｎｇｔｈ／ｔｙｐｅ　ｆｉｅｌｄ）２３０と、モードフィールド２４２と、ＰＨＹ＿ＩＤフィールド２４４と、データフィールド２５０と、ＦＣＳフィールド（Ｆｒａｍｅ　Ｃｈｅｃｋ　Ｓｅｑｕｅｎｃｅ　ｆｉｅｌｄ）２６０と、から構成される。すなわち、ＰＯＮタギングイーサネット（登録商標）フレームは、既存のイーサネット（登録商標）フレームの構成において、長さ／タイプフィールド２３０とデータフィールド２５０との間にモードフィールド２４２とＰＨＹ＿ＩＤフィールド２４４を介在させた構成である。ＰＨＹ＿ＩＤフィールド２４４の後には連続して各使用者のＰＤＵ（Ｐａｙｌｏａｄ　Ｄａｔａ　Ｕｎｉｔ）がつながっている。
【００３２】
図４は、本発明の好ましい一実施例に係るＭＰＣＰ（Ｍｕｌｔｉ−Ｐｏｉｎｔ　Ｃｏｎｔｒｏｌ　Ｐｒｏｔｏｃｏｌ）用のＰＯＮタギングイーサネット（登録商標）ＭＡＣコントロールフレーム構造を示す図である。このフレームは、ＤＡフィールド３１０と、ＳＡフィールド３２０と、長さ／タイプフィールド３３０と、ＯＰコードフィールド３４０と、モードフィールド３５２と、ＰＨＹ＿ＩＤフィールド３５４と、タイムスタンプ（Ｔｉｍｅｓｔａｍｐ）フィールド３６０と、予備（Ｒｅｓｅｒｖｅｄ）フィールド３７０と、ＦＣＳフィールド３８０と、から構成される。すなわち、ＭＰＣＰ用ＰＯＮタギングイーサネット（登録商標）ＭＡＣコントロールフレームは、通常のイーサネット（登録商標）フレームの構成において、ＯＰコードフィールド３４０とタイムスタンプフィールド３６０との間にモードフィールド３５２とＰＨＹ＿ＩＤフィールド３５４を介在させた構成である。ＯＰコードフィールド３４０にはＥＰＯＮシステムのＭＰＣＰを実行する新たなＯＰコードが定義される。モードフィールド３５２、ＰＨＹ＿ＩＤフィールド３５４及びタイムスタンプフィールド３６０はＯＰコードパラメータ（Ｏｐ　ｃｏｄｅ　ｐａｒａｍｅｔｅｒ）に該当する。予備フィールド３７０は、ＭＰＣＰメッセージの具体的な動作によって変わるのでヌル（ｎｕｌｌ）として残す。
【００３３】
図５は、本発明の好ましい一実施例に係るＥＰＯＮシステム休止（ｐａｕｓｅ）用のＰＯＮタギングイーサネット（登録商標）ＭＡＣコントロールフレーム構造を示す図である。このフレームは、ＤＡフィールド４１０と、ＳＡフィールド４２０と、長さ／タイプフィールド４３０と、ＯＰコードフィールド４４０と、モードフィールド４５２と、ＰＨＹ＿ＩＤフィールド４５４と、休止時間フィールド（ｐａｕｓｅ＿ｔｉｍｅ　ｆｉｅｌｄ）４６０と、予備フィールド４７０と、ＦＣＳフィールド４８０と、から構成される。すなわち、ＥＰＯＮシステム休止用ＰＯＮタギングイーサネット（登録商標）ＭＡＣコントロールフレームは、既存のイーサネット（登録商標）フレームの構成において、ＯＰコードフィールド４４０と休止時間フィールド４６０との間にモードフィールド４５２とＰＨＹ＿ＩＤフィールド４５４を介在させた構成である。ＯＰコードフィールド４４０にはＥＰＯＮシステムの休止を実行する新たなＯＰコードが定義される。モードフィールド４５２、ＰＨＹ＿ＩＤフィールド４５４及び休止時間フィールド４６０はＯＰコードパラメータに該当する。
【００３４】
図６は、本発明の好ましい一実施例に係るＥＰＯＮシステムの構成を示す図である。このＥＰＯＮシステムは、一つのＯＬＴ５１０と、これにツリー構造で接続された多数のＯＮＵ６１０と、から構成される。
【００３５】
ＯＮＵ６１０は、８０２．３　ＰＨＹレイヤ６２０と、８０２．３　ＭＡＣレイヤ６３０と、フィルタリング機能レイヤ（ｆｉｌｔｅｒｉｎｇ　ｆｕｎｃｔｉｏｎ　ｌａｙｅｒ）６４０と、ＬＬＣレイヤ６５０と、を含んでなる。ここで、ＯＮＵ６１０は、従来のＯＮＵを構成するレイヤ等にフィルタリング機能レイヤ６４０を新たに追加した構成であり、以下、フィルタリング機能レイヤ６４０の機能を中心に記述するものとする。
【００３６】
フィルタリング機能レイヤ６４０は、ＯＬＴ５１０からＰＯＮタギングイーサネット（登録商標）フレームを受信した場合にモードフィールドを検査する。その後、検査したモードがＳＣＢモードであり、受信フレームのＰＨＹ＿ＩＤがフィルタリング機能レイヤ６４０に割り当てられたＰＨＹ＿ＩＤと一致すると、そのフレームを廃棄し、受信フレームのＰＨＹ＿ＩＤがフィルタリング機能レイヤ６４０に割り当てられたＰＨＹ＿ＩＤと一致しなければ、そのフレームを受信する。すなわち、受信フレームのＰＨＹ＿ＩＤがフィルタリング機能レイヤ６４０に割り当てられたＰＨＹ＿ＩＤと一致する場合には、その受信フレームはフィルタリング機能レイヤ６４０によってＳＣＢモードで伝送されたフレームであるので、フィルタリング機能レイヤ６４０は受信フレームをフィルタリングする。
【００３７】
一方、検査したモードがＰ２Ｐモードであり、受信フレームのＰＨＹ＿ＩＤがフィルタリング機能レイヤ６４０に割り当てられたＰＨＹ＿ＩＤと一致すると、そのフレームを受信し、受信フレームのＰＨＹ＿ＩＤがフィルタリング機能レイヤ６４０に割り当てられたＰＨＹ＿ＩＤと一致しなければ、そのフレームを廃棄する。すなわち、受信フレームのＰＨＹ＿ＩＤがフィルタリング機能レイヤ６４０に割り当てられたＰＨＹ＿ＩＤと一致しない場合には、その受信フレームはフィルタリング機能レイヤ６４０を目的地とするフレームではないので、フィルタリング機能レイヤ６４０は受信フレームをフィルタリングする。
【００３８】
ＯＬＴ５１０は、８０２．３　ＰＨＹレイヤ５２０と、８０２．３ＭＡＣレイヤ５３０と、８０２．３　ＭＡＣコントロールレイヤ５４０と、マルチプレクシングレイヤ（ｍｕｌｔｉｐｌｅｘｉｎｇ　ｌａｙｅｒ）５５０と、ブリッジング機能レイヤ（ｂｒｉｄｇｉｎｇ　ｆｕｎｃｔｉｏｎ　ｌａｙｅｒ）５７０と、を含んでなる。ここで、ＯＬＴ５１０は、従来のＯＬＴを構成するレイヤ等にマルチプレクシングレイヤ５５０及びブリッジング機能レイヤ５７０を新たに追加した構成であり、次に、これらのレイヤ機能を詳述する。
【００３９】
図７〜図９は、ＯＬＴ５１０の各フレームレイヤに関連するカプセル化／脱カプセル化（ｅｎｃａｐｓｕｌａｔｉｏｎ／ｄｅｃａｐｓｕｌａｔｉｏｎ）構造を示すものであり、これらは、ＯＮＵ６１０からＯＬＴ５１０へのフレーム伝送方向に沿って示されている。
【００４０】
図７は、図６に示したＯＬＴ５１０における図３に示したＰＯＮタギングイーサネット（登録商標）フレームのレイヤ伝送構造を説明するための図である。ＰＨＹレイヤ５２０に伝送されたフレームは、ＭＡＣレイヤ５３０で基本的な動作過程を経た後、ＤＡフィールド２１０、ＳＡフィールド２２０、長さ／タイプフィールド２３０、ｖＬｉｎｋタグフィールド２４０及びデータフィールド２５０が上位レイヤに伝達される。ＭＡＣレイヤ５３０からフレームを受信したＭＡＣコントロールレイヤ５４０では、まず、長さ／タイプフィールド２３０を確認する。この場合、そのフレームは使用者フレームであるので、長さ／タイプフィールド２３０はフレーム長さを示すことになる。このようにフレームが使用者フレームであると、ＭＡＣコントロールレイヤ５４０は何の動作も行わずに、ＤＡフィールド２１０、ＳＡフィールド２２０データフィールド２５０を上位レイヤに伝達する。この場合、ｖＬｉｎｋタグフィールド２４０は使用者データフィールドとされてフィールド２１０、２２０、２５０とともに上位レイヤに伝達される。
【００４１】
マルチプレクシングレイヤ５５０はｖＬｉｎｋタグフィールド２４０を検査し、該当ＰＨＹ＿ＩＤにマッピングされている論理ポート５６０を通じてＤＡフィールド２１０、ＳＡフィールド２２０、ｖＬｉｎｋタグフィールド２４０及びデータフィールド２５０を上位レイヤに伝達する。これを受信したブリッジング機能レイヤ５７０は、ＤＡフィールド２１０及びＳＡフィールド２２０のＭＡＣアドレスと、ｖＬｉｎｋタグフィールド２４０内のモード及びＰＨＹ＿ＩＤと、を組み合わせ、この組合の結果に応じてリフレクション（ｒｅｆｌｅｃｔｉｏｎ）やフォワーディング（ｆｏｒｗａｒｄｉｎｇ）動作を実行する。ここで、ｖＬｉｎｋタグフィールド２４０内のＰＨＹ＿ＩＤ値が各モードによって変わる点に注意を要する。モードがＰ２Ｐモードの場合には目的地アドレスを示すＰＨＹ＿ＩＤをｖＬｉｎｋタグフィールド２４０に割り当て、モードがＳＣＢの場合にはＯＬＴ５１０にフレームを伝送したＯＮＵのＰＨＹ＿ＩＤ値をｖＬｉｎｋタグフィールド２４０に割り当てる。このようなＰＨＹ＿ＩＤ割当方法は下り伝送の場合にも同様である。
【００４２】
図８は、図６に示したＯＬＴにおけるＭＰＣＰ用ＰＯＮタギングイーサネット（登録商標）ＭＡＣコントロールフレームのレイヤ伝達構造を説明するための図である。ＥＰＯＮではＭＡＣコントロールフレームを用いてＥＰＯＮのＭＰＣＰ動作を具現する。ＭＡＣレイヤ５３０から各フィールドが伝達されたＭＡＣコントロールレイヤ５４０では、長さ／タイプフィールド３３０を確認する。この場合、長さ／タイプフィールド３３０はタイプフィールドとして機能し、タイプフィールドの値がＭＰＣＰ定義値であるので、その次の各フィールドはＭＰＣＰのためのＯＰコードパラメータとなる。ＭＰＣＰタイプを確認したＯＬＴ５１０のＭＡＣコントロールレイヤ５４０は、ｖＬｉｎｋタグフィールド３５０とタイムスタンプフィールド３６０を用いて各ＯＮＵ６１０別に異なる動作をし、また、一般のＭＰＣＰ動作であるレンジング（ｒａｎｇｉｎｇ）、自動発見（ａｕｔｏ　ｄｉｓｃｏｖｅｒｙ）、ＤＢＡも行う。この場合、ｖＬｉｎｋタグフィールド３５０のＰＨＹ＿ＩＤ値が、上り伝送ではＯＬＴ５１０にフレームを伝送したＯＮＵに割り当てられたＰＨＹ＿ＩＤ値となり、下り伝送ではフレームを受信する目的地ＯＮＵのＰＨＹ＿ＩＤ値となる。
【００４３】
図９は、図６に示したＯＬＴ５１０におけるＥＰＯＮシステム休止用ＰＯＮタギングイーサネット（登録商標）ＭＡＣコントロールフレームのレイヤ伝達構造を説明するための図である。従来のＥＰＯＮシステム休止用イーサネット（登録商標）ＭＡＣコントロールフレームでは、ＯＬＴ５１０が各ＯＮＵ６１０別に、または、ｖＬｉｎｋタグのサブジェクト別にそれぞれＥＰＯＮシステム休止を行うことが不可能である。したがって、この問題を解決するために本発明の一実施例ではｖＬｉｎｋタグフィールド４５０をＯＰコードパラメータとして使用する。
【００４４】
ＭＡＣコントロールレイヤ５４０ではＤＡフィールド４１０、ＯＰコードフィールド４４０、ｖＬｉｎｋタグフィールド４５０、休止時間フィールド４６０を上位レイヤに伝達する。これらを受信したマルチプレクシングレイヤ５５０では、ＯＰコードを参照してＥＰＯＮ休止状態を確認した後、ｖＬｉｎｋタグフィールド４５０と休止時間フィールド４６０を確認し、これら確認した情報を論理ポート５６０を通じてブリッジング機能レイヤ５７０に伝達する。ブリッジング機能レイヤ５７０は、休止時間の間、該当ｖＬｉｎｋタグの論理ポート５６０をディスエーブル（ｄｉｓａｂｌｅ）することによってＥＰＯＮ休止機能を実行する。このようなＥＰＯＮ休止状態における上り伝送の場合、フレームを伝送するＯＮＵのＰＨＹ＿ＩＤ値はｖＬｉｎｋタグフィールド４５０のＰＨＹ＿ＩＤ値と同一である。また、下り伝送の場合は、ＯＬＴ５１０のＰＨＹ＿ＩＤが、デフォルトＩＤ値として定義され、割り当てられる。しかし、実際にＯＬＴ５１０で作動したＤＢＡが結果としてＥＰＯＮ休止機能と同様に機能するので、上り伝送のＥＰＯＮシステム休止用ＰＯＮタギングイーサネット（登録商標）ＭＡＣコントロールフレームは大きい意味がないとされる。
【００４５】
図１０及び図１１は、本発明の好ましい一実施例によるブリッジング機能レイヤの動作を説明するための図である。ブリッジング機能レイヤ５７０はマルチプレクシングレイヤ５５０から受信した情報を一般フレームやコントロールフレームのようにフレームタイプにしたがってそれぞれ処理する。一般フレーム、つまり一般データの場合は、まずｖＬｉｎｋタグフィールドのＰＨＹ＿ＩＤとＤＡを確認して、目的地アドレスが該当ＰＯＮシステム内に存在するか否かと、ＯＬＴ５１０が目的地を認識しているか否かを確認する。この時、ＰＨＹ＿ＩＤが除去され、ＦＣＳが再計算されて挿入される（符号５８０：ＦＣＳ　ａｎｄ　ＰＨＹ＿ＩＤ　ｄｅｔａｇｇｉｎｇ）。
【００４６】
目的地がＰＯＮシステム内に存在すると、ＯＬＴ５１０はモードフィールドを確認する。モードがＳＣＢモードである場合には該当ＰＨＹ＿ＩＤにマッピングされている論理ポート５６０へフレームを伝送し、モードがＰ２Ｐモードである場合にはＯＬＴ５１０はＤＡフィールドを参照してＰＨＹ＿ＩＤフィールドの情報を目的地ＯＮＵに該当するＰＨＹ＿ＩＤ情報に変えてリフレクションフィールド５７５に伝送する。複数のフィールドを通過した後、すなわち、リフレクションフィールド５７５からスケジューラ５９５を経て該当論理ポート５６０に伝送されたフレームは下り伝送で伝送される。さらに、外部から受信したイーサネット（登録商標）フレームは、該当目的地によるＰＨＹ＿ＩＤが挿入され、ＦＣＳが再計算されて挿入された後（符号５９０：ＦＣＳ　ａｎｄ　ＰＨＹ＿ＩＤ　ｔａｇｇｉｎｇ）、スケジューラ５９５を経て該当論リポート５６０に伝送される。
【００４７】
一方、ＯＬＴ５１０が目的地を認識していると、マルチプレクシングレイヤ５５０から受信した情報はリフレクションフィールド５７５でリフレクションされてスケジューラ５９５に伝送される。また、目的地がＰＯＮシステムの外部に存在するか、ＯＬＴ５１０が保有しているフィルタリングデータベース５８５に存在しない場合には、受信した情報をブロードキャスティングして要求された目的地にフォワーディングする。
【００４８】
以上、本発明の詳細な説明では具体的な一実施例に上げて説明してきたが、　本発明の範囲を外れない限度内でさまざまな変形が可能なことは勿論である。したがって、本発明の範囲は、前述した一実施例に限定されるものではなく、特許請求の範囲とそれに均等なものによって定められるべきである。
【００４９】
【発明の効果】
上述の如く、本発明に係るＥＰＯＮシステムは、ｖＬｉｎｋタグフィールドを含むＰＯＮタギングイーサネット（登録商標）フレームを用い、フレームを処理するためのマルチプレクシングレイヤ及びブリッジング機能レイヤをＯＬＴが備えるため、従来の８０２．１Ｄブリッジを変更することなくＥＰＯＮ媒体をブリッジに接続できるという利点がある。
【図面の簡単な説明】
【図１】従来技術に係る８０２．３イーサネット（登録商標）と８０２．１Ｄブリッジとの関係を示す図。
【図２】従来技術に係るＰＯＮシステムの構成を示す図。
【図３】本発明の好ましい一実施例に係るＰＯＮタギングイーサネット（登録商標）フレームの構造を示す図。
【図４】本発明の好ましい一実施例に係るＭＰＣＰ用ＰＯＮタギングイーサネット（登録商標）ＭＡＣコントロールフレームの構造を示す図。
【図５】本発明の好ましい一実施例に係るＥＰＯＮ休止（ｐａｕｓｅ）用ＰＯＮタギングイーサネット（登録商標）ＭＡＣコントロールフレームの構造を示す図。
【図６】本発明の好ましい一実施例に係るＥＰＯＮシステムの構成を示す図。
【図７】図６に示したＯＬＴでＰＯＮタギングイーサネット（登録商標）フレームのレイヤ伝達構造を説明するための図。
【図８】図６に示したＯＬＴでＭＰＣＰ用ＰＯＮタギングイーサネット（登録商標）ＭＡＣコントロールフレームのレイヤ伝達構造を説明するための図。
【図９】図６に示したＯＬＴでＥＰＯＮシステム休止用ＰＯＮタギングイーサネット（登録商標）ＭＡＣコントロールフレームのレイヤ伝達構造を説明するための図。
【図１０】本発明の好ましい一実施例に係るブリッジング機能レイヤの動作を説明するための図。
【図１１】本発明の好ましい一実施例に係るブリッジング機能レイヤの動作を説明するための図。
【符号の説明】
５１０　ＯＬＴ
５２０　ＰＨＹレイヤ
５３０　ＭＡＣレイヤ
５４０　ＭＡＣコントロールレイヤ
５５０　マルチプレクシングレイヤ
５６０　論理ポート
５７０　ブリッジング機能レイヤ
６１０　ＯＮＵ
６２０　ＰＨＹレイヤ
６３０　ＭＡＣレイヤ
６４０　フィルタリング機能レイヤ
６５０　ＬＬＣレイヤ
【図１】
2004032780.tif 000003
【図２】
2004032780.tif 000004
【図３】
2004032780.tif 000005
【図４】
2004032780.tif 000006
【図５】
2004032780.tif 000007
【図６】
2004032780.tif 000008
【図７】
2004032780.tif 000009
【図８】
2004032780.tif 000010
【図９】
2004032780.tif 000011
【図１０】
2004032780.tif 000012
【図１１】
2004032780.tif 000013